(57)【要約】【課題】建築物等の検査に便利な検査補助具２の提供。【解決手段】検査補助具２は、連結部４と表示体６とを備えている。連結部４はリング状であり、磁石からなる。表示体６は、人の手に類似の形状を呈している。この検査補助具２は、打診棒１０と共に用いられる。打診棒１０は、シャフト１２と、このシャフト１２の一端に取り付けられた打診子１４とを備えている。打診子１４は、実質的に球状である。打診子１４は、磁石によって吸い寄せられる金属からなる。この打診子１４に、磁力によって連結部４が付着している。クラック１６のうち損傷の激しい部分が、表示体６によって指し示される。この状態で写真が撮影される。この写真に基づき損傷の激しい部分が特定され、修理される。【選択図】図２
2007163194.tif 000002
【特許請求の範囲】
【請求項１】
打診子及びシャフトを備えた打診棒と共に用いられるものであり、
この打診子に取り付けられる連結部と、この連結部に固定された作用部とを備えている検査補助具。
【請求項２】
上記作用部が、表示体、フック又は鏡である請求項１に記載の検査補助具。
【請求項３】
上記連結部が、磁力によって打診子に付着するように構成された請求項１又は２に記載の検査補助具。
【請求項４】
上記連結部に打診子が嵌り込むように構成された請求項１又は２に記載の検査補助具。
【発明の詳細な説明】
【技術分野】
【０００１】
本発明は、建築物の検査に用いられる検査補助具に関する。詳細には、本発明は、打診棒と共に用いられる検査補助具に関する。
【背景技術】
【０００２】
建築物の壁の検査に、打診棒が用いられている。この打診棒は、シャフトと、このシャフトの一端に取り付けられた球状の打診子と、このシャフトの他端に取り付けられたグリップとを備えている。検査者は、グリップを持って打診子を壁に擦りつける。このとき、壁と打診子との摩擦によって発生する音に基づき、壁の浮き上がりの有無が検査される。浮き上がりが生じている箇所では、異常音が発生する。このような打診棒は、実用新案登録第３１０３６０５号公報に開示されている。
【特許文献１】実用新案登録第３１０３６０５号公報
【発明の開示】
【発明が解決しようとする課題】
【０００３】
検査対象である壁に、クラックが生じている場合がある。検査者は、クラックが生じている箇所において、壁の損傷の程度（幅及び深さ）を検査する。クラックの一部において損傷が激しい場合がある。この場合は、クラックの全体写真と、損傷が激しい箇所の写真とが撮影される。後に、２枚の写真に基づき、損傷が激しい箇所が修理される。しかし、２枚の写真が対比されても、損傷が激しい箇所の、クラックの全体における位置が特定されにくい。さらに、写真では損傷の程度は分からないので、修理のときに再度検査が必要である。
【０００４】
本発明の目的は、建築物等の検査に便利な検査補助具の提供を目的とする。
【課題を解決するための手段】
【０００５】
本発明に係る検査補助具は、打診子及びシャフトを備えた打診棒と共に用いられる。この検査補助具は、打診子に取り付けられる連結部と、この連結部に固定された作用部とを備える。
【０００６】
好ましくは、作用部は、表示体、フック又は鏡である。
【０００７】
好ましくは、連結部は、磁力によって打診子に付着するように構成される。連結部に打診子が嵌り込むように、連結部が構成されてもよい。
【発明の効果】
【０００８】
建築物の検査において、検査者は、日常的に打診棒を携帯している。本発明に係る検査補助具は、この打診棒に取り付けられて用いられる。この検査補助具により、建築物の検査が簡便になされうる。
【発明を実施するための最良の形態】
【０００９】
以下、適宜図面が参照されつつ、好ましい実施形態に基づいて本発明が詳細に説明される。
【００１０】
図１（ａ）は本発明の一実施形態に係る検査補助具２が示された正面図であり、図１（ｂ）は図１（ａ）のＢ−Ｂ線に沿った断面図である。この検査補助具２は、連結部４と表示体６（作用部）とを備えている。表示体６は、連結部４に接合されている。図１（ｂ）から明らかなように、連結部４はリング状である。この連結部４は、磁石からなる。表示体６は合成樹脂からなり、人の手に類似の形状を呈している。この表示体６において、人差し指８が伸ばされている。
【００１１】
図２は、図１の検査補助具２の使用状態が示された説明図である。この検査補助具２は、打診棒１０と共に用いられる。打診棒１０は、シャフト１２と、このシャフト１２の一端に取り付けられた打診子１４とを備えている。打診子１４は、実質的に球状である。その表面に凹凸を備えた打診子が用いられてもよい。打診子１４は、磁石によって吸い寄せられる金属（典型的には鋼）からなる。連結部４は、磁力によって打診子１４に付着している。連結部４は、打診子１４に対して着脱自在である。連結部４は、打診子１４の任意の位置に付着させられうる。前述のように連結部４がリング状なので、この連結部４は打診子１４と、点接触ではなく線接触又は面接触しうる。線接触又は面接触により、連結部４が打診子１４に、堅固に付着する。
【００１２】
図２には、検査対象である壁のクラック１６が示されている。図２の例では、クラック１６のうち損傷が激しい部分が、表示体４の人差し指８によって指し示されている。図２に示された状態が写真で撮影されることにより、後の修理において、損傷の激しい箇所が容易に特定されうる。打診棒１０が用いられることにより、損傷の激しい箇所が高所でも、容易に指し示される。検査者は打診棒１０を日常的に携帯しているので、必要に応じ、打診棒１０を直ちに取り出しうる。
【００１３】
表示体が、手の形状ではなく、例えば矢印の形状でもよい。表示体として、「要修理」、「ＯＫ」、「危険」等の文字が画かれたものが用いられてもよい。カードを保持しうる表示体が用いられてもよい。このカードには、検査者が任意の事項を書き込みうる。本発明において「表示体」とは、検査内容（損傷箇所、損傷程度、検査項目、判定結果、注意喚起文、指示文、日付、氏名、名称等）が表示されうる物を意味する。
【００１４】
図３（ａ）は本発明の他の実施形態に係る検査補助具１８が示された正面図であり、図３（ｂ）はその右側面図である。この図３には、検査補助具１８と共に、カード２０及び打診棒１０が示されている。この検査補助具１８は、連結部２２と表示体２４（作用部）とを備えている。
【００１５】
連結部２２は、ネック２５と、ベース２６と、このベース２６から延びる２つの湾曲片２８とを備えている。湾曲片２８は、打診子１４の表面に沿うように、湾曲している。ベース２６及び湾曲片２８に打診子１４が包まれることにより、打診子１４に連結部２２が取り付けられている。シャフト１２は、２つの湾曲片２８の間を通されている。連結部２２は、打診子１４に対して着脱自在である。
【００１６】
表示体２４は、その一端がネック２５に埋設されている。表示体２４は、圧縮コイルである。表示体２４にはカード２０が差し込まれ、保持されている。このカード２０に、検査者は任意の事項を書き込む。カード２０には、例えば、「要修理」、「ＯＫ」、「危険」等の文字が画かれる。このカード２０が、検査対象である壁等と共に写真に撮影される。圧縮コイルに代えて、クリップ、ファスナー等が表示体として用いられてもよい。
【００１７】
図４（ａ）は本発明のさらに他の実施形態に係る検査補助具３０が示された正面図であり、図４（ｂ）はその右側面図である。この図４には、検査補助具３０と共に、打診棒１０が示されている。この検査補助具３０は、連結部３２とフック３４（作用部）とを備えている。
【００１８】
連結部３２は、ネック３６と、ベース３８と、このベース３８から延びる２つの湾曲片４０とを備えている。湾曲片４０は、打診子１４の表面に沿うように、湾曲している。ベース３８及び湾曲片４０に打診子１４が包まれることにより、打診子１４に連結部３２が取り付けられている。シャフト１２は、２つの湾曲片４０の間を通されている。連結部３２は、打診子１４に対して着脱自在である。
【００１９】
フック３４は、その一端がネック３６に埋設されている。フック３４は、硬質材料からなる。典型的には、フック３４は、鋼等の金属からなる。
【００２０】
図５は、図４の検査補助具３０の使用状態が示された説明図である。建築物の天井４２には、非常灯４４が設けられている。この非常灯４４のバッテリー残量は、検査項目の一つである。検査者は、検査補助具３０を打診棒１０に取り付け、シャフト１２を伸ばす。そして、フック３４に非常灯４４のスイッチ紐４６を引っかけてスイッチ紐４４を引き、非常灯４４の点灯を確認する。非常灯４４の点灯により、バッテリーの残存が確認されうる。打診棒１０が用いられることにより、スイッチ紐４６が高所でも、バッテリー残量が容易に確認されうる。
【００２１】
図６（ａ）は本発明のさらに他の実施形態に係る検査補助具４８が示された正面図であり、図６（ｂ）はその底面図である。この検査補助具４８は、連結部５０と鏡５２（作用部）とを備えている。図６（ｂ）から明らかなように、連結部５０はリング状である。鏡５２は、板状である。連結部は、鏡５２に接合されている。
【００２２】
図７は、図６の検査補助具４８の使用状態が示された説明図である。この図６には、検査補助具４８と共に、打診棒１０と配管５４とが示されている。配管５４は、検査対象である。連結部５０は、磁石である。連結部５０は、磁力によって打診子１４に付着している。連結部５０は、打診子１４の任意の位置に付着させられうる。連結部５０は、打診子１４に対して着脱自在である。前述のように連結部５０がリング状なので、この連結部５０は打診子１４と、点接触ではなく線接触又は面接触しうる。線接触又は面接触により、連結部５０が打診子１４に、堅固に付着する。
【００２３】
図７の例では、配管５４の裏側が鏡５２に映されており、この鏡５２が検査者によって目視観察されている。この観察により、配管５４の不具合が検査されうる。鏡５２は打診棒１０と連結されているので、狭いスペースにも入り込みうる。連結部５０が打診子１４の任意の位置に付着させられうるので、シャフト１２に対する鏡５２の角度も、任意に設定されうる。この検査補助具４８により、人が入り込みにくい箇所の検査が容易になされうる。
【産業上の利用可能性】
【００２４】
本発明に係る検査補助具は、外壁、内壁、配管、配線、空調機器、換気機器、電気設備等の検査に用いられうる。
【図面の簡単な説明】
【００２５】
【図１】図１（ａ）は本発明の一実施形態に係る検査補助具が示された正面図であり、図１（ｂ）は図１（ａ）のＢ−Ｂ線に沿った断面図である。
【図２】図２は、図１の検査補助具の使用状態が示された説明図である。
【図３】図３（ａ）は本発明の他の実施形態に係る検査補助具が示された正面図であり、図３（ｂ）はその右側面図である。
【図４】図４（ａ）は本発明のさらに他の実施形態に係る検査補助具が示された正面図であり、図４（ｂ）はその右側面図である。
【図５】図５は、図４の検査補助具の使用状態が示された説明図である。
【図６】図６（ａ）は本発明のさらに他の実施形態に係る検査補助具が示された正面図であり、図６（ｂ）はその底面図である。
【図７】図７は、図６の検査補助具の使用状態が示された説明図である。
【符号の説明】
【００２６】
２、１８、３０、４８・・・検査補助具
４、２２、３２、５０・・・連結部
６・・・表示体
１０・・・打診棒
１２・・・シャフト
１４・・・打診子
１６・・・クラック
２０・・・カード
２５、３６・・・ネック
２６、３８・・・ベース
２８、４０・・・湾曲片
３４・・・フック
４４・・・非常灯
４６・・・スイッチ紐
５２・・・鏡
５４・・・配管
【図１】
2007163194.tif 000003
【図２】
2007163194.tif 000004
【図３】
2007163194.tif 000005
【図４】
2007163194.tif 000006
【図５】
2007163194.tif 000007
【図６】
2007163194.tif 000008
【図７】
2007163194.tif 000009